(57)【要約】【課題】吊子のスライド移動機能付でありながら、吊子がスライド移動不能状態に位置決められており、施工後の屋根伸縮時には自動的に吊子が金具本体に対してスライド移動可能となる折板取付金具を提供すること。【解決手段】支持面７上に、取付ボルト８により吊子支持体９が取り付けられ、この吊子支持体９に吊子４の底板部５が水平方向に往復スライド移動自在に設けられ、この吊子４に、吊子支持体９に当接係止して吊子４をスライド移動不能状態に位置決めする位置決め部材10が設けられていると共に、この位置決め部材10は、吊子４に吊子支持体９に対する一定以上のスライド移動力が作用した際に吊子４から係脱分離するか又は破壊されて吊子４がスライド移動可能となるように構成されている折板取付金具。【選択図】図５
2018138730.tif 000002
【特許請求の範囲】
【請求項１】
屋根下地に固定可能な金具本体の上部に、合成樹脂製の吊子付設部が設けられていると共に、この吊子付設部の上面が、折板屋根材を取り付け可能な吊子の底板部を支持する支持面として構成され、この吊子付設部を下方から貫通させて、前記支持面に支持された前記吊子の底板部を取付可能な取付ボルトが支持面上に立設状態に設けられている折板取付金具において、前記支持面上に、前記取付ボルトにより吊子支持体が取り付けられ、この吊子支持体を介して前記吊子の底板部が前記支持面７に支持されていると共に、この吊子支持体に吊子の底板部が水平方向に往復スライド移動自在に設けられており、この吊子若しくは前記吊子支持体に、吊子支持体若しくは吊子が当接係止することで吊子が吊子支持体に対し往復スライド移動範囲内でスライド移動不能状態に位置決められる位置決め部材が設けられていると共に、この位置決め部材は、吊子に吊子支持体に対する一定以上のスライド移動力が作用した際に吊子若しくは吊子支持体から係脱分離するか又は破壊されて吊子がスライド移動可能となるように構成されていることを特徴とする折板取付金具。
【請求項２】
前記位置決め部材は、前記吊子支持体若しくは前記吊子が当接係止することで吊子を吊子支持体に対しスライド移動不能状態に位置決められる棒状部材で構成されていると共に、吊子に吊子支持体に対する一定以上のスライド移動力が作用した際に吊子若しくは吊子支持体から係脱分離するか又は破壊される合成樹脂製の部材で構成されていることを特徴とする請求項１記載の折板取付金具。
【請求項３】
前記位置決め部材は、雄部材と雌部材とから成り、この雄部材と雌部材を前記吊子若しくは前記吊子支持体に設けられた貫通部に挿通して雄雌係合することによって貫通部に取り付け可能な棒状部材に構成されていると共に、吊子に吊子支持体に対する一定以上のスライド移動力が作用してこの位置決め部材に吊子支持体若しくは吊子が圧接した際に、前記雄部材と前記雌部材とに分離して前記貫通部から係脱するように構成されていることを特徴とする請求項１，２のいずれか１項に記載の折板取付金具。
【請求項４】
前記吊子若しくは前記吊子支持体に、この吊子が吊子支持体に対し往復スライド移動範囲のスライド中央位置でスライド移動不能状態に位置決められる前記位置決め部材が設けられていることを特徴とする請求項１〜３のいずれか１項に記載の折板取付金具。
【請求項５】
前記吊子支持体は、前記吊子の底板部を水平方向に往復スライド移動自在に支持する底板ガイド部を備えていることを特徴とする請求項１〜４のいずれか１項に記載の折板取付金具。
【発明の詳細な説明】
【技術分野】
【０００１】
本発明は、折板屋根材などの金属製屋根板を取り付けする屋根板取付金具に関するものである。
【背景技術】
【０００２】
従来から、金属製の折板屋根を上下に二重葺きすることによって断熱性を向上させた二重葺き折板構造屋根が実施されている。
【０００３】
このような折板屋根は、外気温や風雨等の熱要因により伸縮するため、この熱伸縮による歪みによって音鳴り現象が発生することがある。
【０００４】
そこで、この音鳴りを軽減するため、折板屋根材の熱伸縮に追従して吊子がスライド移動可能な断熱タイプの折板取付金具が開発されている（例えば、特許文献１参照）。
【先行技術文献】
【特許文献】
【０００５】
【特許文献１】特許第５０９９４５６号公報
【発明の概要】
【発明が解決しようとする課題】
【０００６】
ところで、上記特許文献１のような吊子のスライド移動機能付の屋根板取付具は、吊子がフリーにスライド移動可能であることから、輸送時に吊子がガタついて輸送不良や故障の原因となったり、現場で屋根上に取り付けする際には、折板屋根材の伸びにも縮みにも対応できるように、吊子をそのスライド移動範囲内のスライド中央位置に是正してから折板屋根材の取り付けを行う必要があるため、非常に手間がかかり施工性に欠けるという問題があった。
【０００７】
本発明は、このような従来の屋根板取付金具の問題点に鑑み、これを解決しようとするもので、吊子のスライド移動機能付でありながら吊子がスライド移動不能状態に位置決められており、施工後の屋根伸縮時には自動的に吊子が金具本体に対してスライド移動可能となる簡易構造の折板取付金具を提供するものである。
【課題を解決するための手段】
【０００８】
添付図面を参照して本発明の要旨を説明する。
【０００９】
屋根下地１に固定可能な金具本体２の上部に、合成樹脂製の吊子付設部６が設けられていると共に、この吊子付設部６の上面が、折板屋根材３を取り付け可能な吊子４の底板部５を支持する支持面７として構成され、この吊子付設部６を下方から貫通させて、前記支持面７に支持された前記吊子４の底板部５を取付可能な取付ボルト８が支持面７上に立設状態に設けられている折板取付金具において、前記支持面７上に、前記取付ボルト８により吊子支持体９が取り付けられ、この吊子支持体９を介して前記吊子４の底板部５が前記支持面７に支持されていると共に、この吊子支持体９に吊子４の底板部５が水平方向に往復スライド移動自在に設けられており、この吊子４若しくは前記吊子支持体９に、吊子支持体９若しくは吊子４が当接係止することで吊子４が吊子支持体９に対し往復スライド移動範囲内でスライド移動不能状態に位置決められる位置決め部材10が設けられていると共に、この位置決め部材10は、吊子４に吊子支持体９に対する一定以上のスライド移動力が作用した際に吊子４若しくは吊子支持体９から係脱分離するか又は破壊されて吊子４がスライド移動可能となるように構成されていることを特徴とする折板取付金具に係るものである。
【００１０】
また、前記位置決め部材10は、前記吊子支持体９若しくは前記吊子４が当接係止することで吊子４を吊子支持体９に対しスライド移動不能状態に位置決められる棒状部材で構成されていると共に、吊子４に吊子支持体９に対する一定以上のスライド移動力が作用した際に吊子４若しくは吊子支持体９から係脱分離するか又は破壊される合成樹脂製の部材で構成されていることを特徴とする請求項１記載の折板取付金具に係るものである。
【００１１】
また、前記位置決め部材10は、雄部材11と雌部材12とから成り、この雄部材11と雌部材12を前記吊子４若しくは前記吊子支持体９に設けられた貫通部13に挿通して雄雌係合することによって貫通部13に取り付け可能な棒状部材に構成されていると共に、吊子４に吊子支持体９に対する一定以上のスライド移動力が作用してこの位置決め部材10に吊子支持体９若しくは吊子４が圧接した際に、前記雄部材11と前記雌部材12とに分離して前記貫通部13から係脱するように構成されていることを特徴とする請求項１，２のいずれか１項に記載の折板取付金具に係るものである。
【００１２】
また、前記吊子４若しくは前記吊子支持体９に、この吊子４が吊子支持体９に対し往復スライド移動範囲のスライド中央位置でスライド移動不能状態に位置決められる前記位置決め部材10が設けられていることを特徴とする請求項１〜３のいずれか１項に記載の折板取付金具に係るものである。
【００１３】
また、前記吊子支持体９は、前記吊子４の底板部５を水平方向に往復スライド移動自在に支持する底板ガイド部14を備えていることを特徴とする請求項１〜４のいずれか１項に記載の折板取付金具に係るものである。
【発明の効果】
【００１４】
本発明は上述のように構成したから、位置決め部材により吊子が吊子支持体に対して位置決められているので、吊子のガタつきによる輸送不良や故障の心配がなく、折板屋根材の伸びにも縮みにも良好に対応可能なスライド中央位置に吊子を位置決めることもでき、また、屋根完成後に折板屋根材が熱伸縮して吊子のスライド移動が必要となった際には、自動的に吊子がスライド移動可能となって折板屋根材の熱伸縮を原因とする音鳴り現象が抑制されることとなり、しかも本発明は、吊子と吊子支持体以外は実質的に既存の断熱金具で足りる構成であるため、既存の断熱金具の上部に、吊子を有する吊子支持体が取付ボルトで取り付けられるだけで本発明は容易に設計実現可能であるなど、極めて実用性に優れた折板取付金具となる。
【００１５】
また、請求項２記載の発明においては、吊子を確固に位置決めでき、且つ吊子に吊子支持体に対する一定以上のスライド移動力が作用した際には確実に吊子がスライド移動可能となる位置決め部材を簡易に設計実現可能となり、しかも、位置決め部材が合成樹脂製であるから、吊子若しくは吊子支持体から係脱分離するか又は破壊された際に大きな音を発生しづらいなど、一層実用性に優れた構成の折板取付金具となる。
【００１６】
また、請求項３記載の発明においては、吊子若しくは吊子支持体に対して簡易に取り付けでき、且つ吊子に吊子支持体に対する一定以上のスライド移動力が作用した際には確実に吊子がスライド移動可能となる位置決め部材を、簡易構成により容易に設計実現可能となる一層実用性に優れた構成の折板取付金具となる。
【００１７】
また、請求項４記載の発明においては、折板屋根材の伸びにも縮みにも良好に対応して吊子がスライド移動可能となる一層実用性に優れた構成の折板取付金具となる。
【００１８】
また、請求項５記載の発明においては、吊子の底板部を水平方向に往復スライド移動自在に支持する吊子支持体を、簡易構成にして容易に設計実現可能となる一層実用性に優れた構成の折板取付金具となる。
【図面の簡単な説明】
【００１９】
【図１】本実施例の使用状態を示す概略説明斜視図である。
【図２】本実施例の使用状態を示す説明正面図である。
【図３】本実施例の吊子及び吊子支持体を示す斜視図である。
【図４】本実施例の吊子と吊子支持体の分解斜視図である。
【図５】本実施例の、吊子が位置決め部材により吊子支持体に位置決められている状態と、位置決め部材による位置決め状態が解除された状態と、吊子が吊子支持体に対しスライド移動した状態とを示した作動説明側面図である。
【図６】本実施例の使用状態において、上層屋根材が熱伸縮して吊子がスライド移動した様子を示す概略説明斜視図である。
【発明を実施するための形態】
【００２０】
好適と考える本発明の実施形態を、図面に基づいて本発明の作用を示して簡単に説明する。
【００２１】
本発明の折板取付金具は、金具本体２の上部に、吊子支持体９を介して吊子４（の底板部５）が水平方向に往復移動自在に設けられているが、この吊子４は、吊子４若しくは前記吊子支持体９に設けられている位置決め部材10が吊子支持体９若しくは吊子４に当接係止していることにより、吊子４の吊子支持体９に対する往復スライド移動範囲内でスライド移動不能状態に位置決められている。
【００２２】
そのため、吊子４がガタいてしまうことに起因する輸送不良や故障の心配がなく、また、例えば、吊子４が折板屋根材３の伸びにも縮みにも良好に対応してスライド移動可能となるスライド移動範囲内のスライド中央位置に位置決めされるように設計することも容易に可能である。
【００２３】
屋根下地１に金具本体２を固定し、この金具本体２の上部の吊子付設部６に吊子支持体９を介して取り付けられている吊子４に折板屋根材３を取り付けて屋根（折板屋根）を完成させると、この吊子４に取り付けた折板屋根材３が熱伸縮して、吊子４に吊子支持体９に対する一定以上のスライド移動力が作用した際に、位置決め部材10が吊子４若しくは吊子支持体９から係脱分離するか又は破壊されて吊子４が吊子支持体９に対しスライド移動可能となる。
【００２４】
即ち、屋根完成後に折板屋根材３の熱伸縮に伴って吊子４のスライド移動が必要となった際には、自動的に位置決め部材10による位置決め状態が解除されて折板屋根材３を取り付けた吊子４が金具本体２に対しスライド移動し、これにより折板屋根材３の歪みが解消されてこの折板屋根材３の熱伸縮（歪み）が原因で発生する音鳴り現象は抑制される。
【００２５】
また、屋根下地１に固定可能な金具本体２の上部に、合成樹脂製の吊子付設部６が設けられていると共に、この吊子付設部６の上面が、折板屋根材３を取り付け可能な吊子４の底板部５を支持する支持面７として構成され、この吊子付設部６を下方から貫通させて、前記支持面７に支持された前記吊子４の底板部５を取付可能な取付ボルト８が支持面７上に立設状態に設けられている本発明の折板取付金具は、実質的に従来の断熱金具と同等の構成であるので、吊子４と吊子支持体９以外は既存品からの構造変更が不要であり、既存の断熱金具を用いて吊子４付の吊子支持体９を取付ボルト８により金具本体２の上部に取り付けるだけで、本発明は容易に達成可能である。
【００２６】
また、例えば、前記位置決め部材10は、前記吊子支持体９若しくは前記吊子４が当接係止することで吊子４が吊子支持体９に対しスライド移動不能状態に位置決められる棒状部材で構成されていると共に、吊子４に吊子支持体９に対する一定以上のスライド移動力が作用した際に吊子４若しくは吊子支持体９から係脱分離するか又は破壊される合成樹脂製の部材で構成されていれば、棒状の位置決め部材10に吊子支持体９若しくは吊子４が当接係止することによって吊子４が吊子支持体９に対し確固なスライド移動不能状態に位置決められる。
【００２７】
また、吊子４に吊子支持体９に対する一定以上のスライド移動力が作用すると、合成樹脂製の位置決め部材10は、吊子４若しくは吊子支持体９から係脱分離するか又は破壊されて吊子４がスライド移動可能となるが、この際に大きな音を発生しづらい。
【実施例】
【００２８】
本発明の具体的な実施例について図面に基づいて説明する。
【００２９】
本実施例は、断熱二重葺き折板屋根を施工可能な折板取付金具（断熱金具）に適用している。尚、本発明は、金具本体２の屋根下地１への取付構造を適宜変更することによって一重葺きの折板取付金具にも適用可能である。
【００３０】
具体的には、図１，図２に示すように、一対の挟持体15が左右に対向配設され、この挟持体15間に締め付けボルト16が貫通配設され、この締め付けボルト16により各挟持体15の下部に形成した挟持対向部17を締め付け接近させて屋根下地１としての折板屋根１（下層屋根１）のはぜ部18に締め付け挟持固定し得るように構成されており、この一対の挟持体15間に合成樹脂製の断熱材６から成る吊子付設部６が設けられ、この吊子付設部６の上部に、前記下層屋根１の上方に配する折板屋根材３（上層屋根材３）を係止する吊子４を取り付け可能に構成されている。図中符号19は下層屋根１のタイトフレーム、20は下層屋根１取付用の吊子である。
【００３１】
即ち、この吊子付設部６（断熱材６）により前記吊子４と各挟持体15とが断熱されて、前記下層屋根１と前記上層屋根材３とが断熱状態となるように構成されている（一対の挟持体15を介して締め付け挟持固定する下層屋根１と、吊子４に取り付けた上層屋根材３とを断熱状態に支持して二重断熱折板屋根構造を構築するように構成されている。）。
【００３２】
さらに詳しくは、この一対の挟持体15は、一方（図面左側）の挟持体15を他方の挟持体15より高さのある形状に形成し、左右に対向配設されたこの挟持体15間に貫通孔（図示省略）を介して六角ボルトを採用した締め付けボルト16を水平貫通配設し、この締め付けボルト16に締め付けナット21が螺着されていて、例えばこの締め付けナット21を締め付け回動することで各挟持体15の下部に形成した前記挟持対向部17が締め付け接近して前記はぜ部18を締め付け挟持するように構成されている。
【００３３】
また、吊子付設部６は、図２に示すように、一対の挟持体15間に配設されて一側に一方の挟持体15の内側縁を沿設させ他側に他方の挟持体15の内側縁を沿設させる縦板状の下側ブロック部22と、この下側ブロック部22の上部から左右方向に延設して左右一対の挟持体15の夫々の上方に露出状態にして沿設させる横板状の上側ブロック部23とから成る、正面視略Ｔ字状のブロック体に一体成形され、下側ブロック部22が一対の挟持体15に対し分離不能状態に連結されている。
【００３４】
また、この吊子付設部６の左右の上側ブロック部23は、前記一対の挟持体15の高さの相違に合せて図面左側の一側ブロック部23Ａが図面右側の他側ブロック部23Ｂより高くなる段差横板状に形成され、他側ブロック部23Ｂの上面が、吊子４の下部の底板部５を載置可能な支持面７として構成され、この吊子付設部６を下方から貫通させて、前記支持面７に支持された前記吊子４の底板部５を取付可能な取付ボルト８が支持面７上に立設状態に設けられている。
【００３５】
本実施例は、前記支持面７上に、前記取付ボルト８により吊子支持体９が取り付けられ、この吊子支持体９を介して前記吊子４の底板部５が前記支持面７に支持されていると共に、この吊子支持体９に吊子４の底板部５が水平方向に往復スライド移動自在に設けられている。
【００３６】
吊子支持体９は、平面視長方形状の金属製板材を折曲して平面視で帯状を呈する角筒状に形成され、この吊子支持体９の下面部を前記吊子付設部６の支持面７に載置可能に構成されている。
【００３７】
具体的には、金属製板材の対向両端部を直角下方へ短く折曲垂下させた後、双方の垂下端部同士を互いの対向内側方向へ水平に折曲させることにより平面視帯状且つ偏平な角筒状に形成されている（図２〜図４参照）。
【００３８】
また、この吊子支持体９下部の内向き水平板部同士は、その内向き折曲位置を異ならせて上下に重なるように配設されており、このうち下段の内向き水平板部の下面を前記支持面７に載置可能に構成されていると共に、上下夫々の内向き水平板部の中心位置に、前記取付ボルト８を挿通するボルト通し孔24が設けられていて、ボルト通し孔24に前記取付ボルト８を挿通することにより、金具本体２の前後方向と長さ方向を一致させたこの吊子支持体９を支持面７に載置し得るように構成されている。そして、この際取付ボルト８先端に螺着した取付ナット25で吊子支持体９を支持面７に締め付け固定し得るように構成されている。
【００３９】
また、この吊子支持体９は、前記ボルト通し孔24の上方の上板部が切欠形成され、この切欠部26を介してボルト通し孔24に挿通した前記取付ボルト８に前記取付ナット25を螺着可能に構成されている。
【００４０】
また、この吊子支持体９は、前記吊子４の底板部５を水平方向に往復スライド移動自在に支持する底板ガイド部14を備えている。
【００４１】
具体的には、吊子支持体９下部の上下の内向き水平板部が、吊子４の底板部５の板厚よりやや広い間隔を置いて配設されており、この内向き水平板部間の間隔部14が、前記底板ガイド部14として構成されて、この底板ガイド部14に吊子支持体９の側方から吊子の底板部５を嵌め込み挿入することにより、この底板ガイド部14を介し吊子４が吊子支持体９に対しこの吊子支持体９の長さ方向にスライド移動自在に設けられている。
【００４２】
一方、本実施例の吊子４は、底板部５の前後幅が吊子５のスライド移動を許容する長さを有するものに設定構成されており、さらに底板部５の先端縁（長手方向縁）は、上方へ直角に折曲されてこの折曲先端部が抜止片27として機能するように構成され、この抜止片27が上段の内向き水平板部の突出先端と、下段の内向き水平板部が連設する垂下板部の内側面との間の隙間に挿入されて底板部５が前記底板ガイド部14に配設されることにより、吊子４が吊子支持体９に対してこの吊子支持体９の長さ方向と直交する方向（金具本体２の左右方向）へは抜止状態となると共に、吊子支持体９に対しその長さ方向（金具本体２の前後方向）に沿って金具本体２の前後方向へ水平往復スライド移動可能に構成されている。
【００４３】
従って、吊子４に取り付けた上層屋根材３が熱伸縮した際に、この上層屋根材３の熱伸縮に伴って吊子４が吊子支持体９を介して金具本体２に対しスライド移動し、これにより上層屋根材３の熱伸縮（歪み）が原因で発生する音鳴り現象を防止できるように構成されている（図１，図６参照）。
【００４４】
また、この吊子４の底板部５は、前後方向の両端部に切り出し片が形成され、この各切り出し片が下方へ直角に折曲されて、この切り出し折曲片28が吊子支持体９の前後端部に接触することでスライドストッパーとして機能するように構成されている。即ち、この切り出し折曲片28により吊子支持体９に対する吊子４（の底板部５）のスライド量が制限されると共に、吊子４が吊子支持体９に対して抜止状態となるように構成されている（図５参照）。
【００４５】
また、この吊子４の底板部５には、前記ボルト通し孔24と連通して前記取付ボルト８を挿通可能な長孔状のボルト孔29が上下方向に貫通形成されている。
【００４６】
また、図面は、前記吊子支持体９の下段の内向き水平板部の前記ボルト通し孔24の周囲が、その下面を上方へ凹設することによって上面が上方へ膨出形成されており、この膨出部35が吊子４底板部５の前記ボルト孔29に嵌合されて、この膨出部35がボルト孔29にガイドされつつ吊子４が吊子支持体９に対しスライド移動可能となるように構成されている。
【００４７】
本実施例は、この吊子４に、吊子支持体９に当接係止して吊子４を吊子支持体９に対し往復スライド移動可能範囲内でスライド移動不能状態に位置決めする位置決め部材10が設けられている。尚、図示していないが、吊子支持体９に、吊子４に当接係止して吊子４を吊子支持体９に対し位置決めする位置決め部材10が設けられる構成を採用しても良い。
【００４８】
具体的には、吊子４の底板部５の前側途中部と後側途中部の二箇所に丸孔状の貫通部13が設けられ、この前後の貫通部13に前記位置決め部材10が設けられている。
【００４９】
また、図面は、吊子４と吊子支持体９とに位置決め目安線34が表示されており、この双方の位置決め目安線34を一直線状に合せることによって、この吊子４が吊子支持体９に対する往復スライド移動範囲内のスライド中央位置に存するように構成されていると共に、この際に吊子支持体９の前後端部の外側に前記貫通部13が現れてこの前後の貫通部13に前記位置決め部材10を取り付けできるように構成されている（吊子４がスライド中央位置に存する状態で、吊子４を吊子支持体９に位置決めできるように設定構成されている。）。
【００５０】
即ち、本実施例は、前後二箇所に設けられた位置決め部材10により吊子４を吊子支持体９に対してスライド移動不能状態に位置決め保持するように構成されている。
【００５１】
また、本実施例の位置決め部材10は、合成樹脂製の雄部材11と雌部材12とから成り、この雄部材11と雌部材12を前記吊子４若しくは前記吊子支持体９に設けられた貫通部13に挿通して雄雌係合することによって貫通部13に取り付けられる棒状部材に構成されている。
【００５２】
さらに詳しくは、雄部材11は、棒状部30の一側端部に前記貫通部13の孔径より径大な円板部31を有する形状に構成（一体成形）されており、雌部材12は、前記雄部材11の棒状部30が挿入係止可能な筒状部32の一側端部に前記貫通部13の孔径より径大な円板部33を有する形状に構成（一体成形）されている（図４参照）。
【００５３】
そして、例えば、雄部材11の棒状部30を、前記貫通部13に挿通した雌部材12の筒状部32に挿入係止することで、円板部31・33により貫通部13から抜止状態で取り付けられる棒状体に構成されている。
【００５４】
また、この位置決め部材10は、吊子４に吊子支持体９に対する一定以上のスライド移動力が作用した際に吊子４から係脱分離して吊子４がスライド移動可能となるように構成されている。
【００５５】
具体的には、吊子４に取り付けた上層屋根材３が熱伸縮することにより、吊子４に吊子支持体９に対する一定以上のスライド移動力が作用した際に、位置決め部材10の前記筒状部32に吊子支持体９が強く圧接することによって筒状部32が棒状部30から係脱し、これにより位置決め部材10が前記雄部材11と雌部材12とに分離して吊子４の底板部５から脱落するように、棒状部30と筒状部32との係止力が設定されている（図５参照）。
【００５６】
図示していないが、この位置決め部材10は、吊子４に吊子支持体９に対する一定以上のスライド移動力が作用してこの位置決め部材10に吊子支持体９が強く圧接した際に破壊される強度のものを採用し、この位置決め部材10の破壊によって吊子４がスライド移動可能となる構成を採用しても良い。
【００５７】
尚、本発明は、本実施例に限られるものではなく、各構成要件の具体的構成は適宜設計し得るものである。
【符号の説明】
【００５８】
１  屋根下地
２  金具本体
３  折板屋根材
４  吊子
５  底板部
６  吊子付設部
７  支持面
８  取付ボルト
９  吊子支持体
10  位置決め部材
11  雄部材
12  雌部材
13  貫通部
14  底板ガイド部
【図１】
2018138730.tif 000003
【図２】
2018138730.tif 000004
【図３】
2018138730.tif 000005
【図４】
2018138730.tif 000006
【図５】
2018138730.tif 000007
【図６】
2018138730.tif 000008